(57)【要約】【課題】区分された２箇所の収納部を有し、それぞれの収納部を大きくとることのできる切妻屋根型紙容器用付属紙箱を提供する。【解決手段】切妻屋根型紙容器の上部に取り付ける切妻屋根型紙容器用付属紙箱であって、切妻屋根型紙容器の傾斜した前部天面パネルと後部天面パネルのそれぞれに沿う前傾斜板と後傾斜板とを有し、前傾斜板と後傾斜板のそれぞれの上方に区分された収納部が設けられている。また、切妻屋根型紙容器のトップシール部の特定箇所が視認できるように、窓部が蓋板に設けられている。【選択図】図１
2014080228.tif 000002
【特許請求の範囲】
【請求項１】
切妻屋根型紙容器の上部に取り付ける切妻屋根型紙容器用付属紙箱であって、
前記切妻屋根型紙容器の傾斜した前部天面パネルと後部天面パネルのそれぞれに沿う前傾斜板と後傾斜板とを有し、該前傾斜板と後傾斜板のそれぞれの上方に区分された収納部が設けられていることを特徴とする切妻屋根型紙容器用付属紙箱。
【請求項２】
前記切妻屋根型紙容器の前記前部天面パネルに口栓が装着されていて、前記前傾斜板に前記口栓を通す口栓差込孔が設けられていることを特徴とする請求項１に記載の切妻屋根型紙容器用付属紙箱。
【請求項３】
前記前傾斜板と前記後傾斜板の下方に、前記切妻屋根型紙容器の胴部上部を覆い被せる筒状部が設けられていることを特徴とする請求項１または２に記載の切妻屋根型紙容器用付属紙箱。
【請求項４】
前記切妻屋根型紙容器のトップシール部の特定箇所が視認できるように、窓部が蓋板に設けられていることを特徴とする請求項１から３のいずれか１項に記載の切妻屋根型紙容器用付属紙箱。
【請求項５】
正面板の下方に前記前傾斜板が設けられ、上方に天井板と接続傾斜板を介して、前記後傾斜板が設けられたブランクより形成されていることを特徴とする請求項１から４のいずれか１項に記載の切妻屋根型紙容器用付属紙箱。
【発明の詳細な説明】
【技術分野】
【０００１】
本発明は、切妻屋根型紙容器用付属紙箱に関するものである。
【背景技術】
【０００２】
切妻屋根型紙容器は、牛乳の容器として早くから使われていた。この容器は、紙層の両面にプラスチックを積層した包装材料から製函されていた。その後、バリア材を紙層より内層側に設けることによって、長期保存が可能となり、日本酒、焼酎、水割りウィスキーなどのアルコール飲料や、各種お茶類、アイスコーヒー、ジュースなどの清涼飲料に広く使われるようになった。
【０００３】
この切妻屋根型紙容器は、図４の斜視図のように、前面パネル３５と左右の側面パネル３６、３６と背面パネルとが四角筒状を形成した胴部とその下端に底部３７が形成されている。
【０００４】
胴部の上端は、前面パネル３５と背面パネルの上端にそれぞれ設けられた傾斜した前部天面パネル３１と後部天面パネル３２と、左右の側面パネルの上端にそれぞれ設けられた折込三角板３８と、この折込三角板３８と前部天面パネル３１および後部天面パネル３２の間に設けられた折返板３９により切妻屋根型となり、これらの上にトップシール部３４が形成され密封され、上部が形成されている。そして、前部天面パネル３１に口栓３３が設けられた切妻屋根型紙容器３００も多く使用されている。
【０００５】
この切妻屋根型紙容器を段ボール箱などに集積包装させると、切妻屋根型とトップシール部により段ボール箱などの上部に空間部が生じる。この空間部を利用して、景品などを添付する付属紙箱を切妻屋根型紙容器の上部に取り付けることが行われるようになってきた。
【０００６】
例えば、角筒体の前面板ならびに後面板の下端に傾斜板をそれぞれ連設した切妻屋根型紙容器用付属紙箱がある（特許文献１）。この切妻屋根型紙容器用付属紙箱では、切妻屋根型紙容器のトップシール部の上端近傍で前後の傾斜板が交差している。そのため、収納部が小さくなっている。
【０００７】
また、下方に開口された箱体からなり、箱体の前後面の下端部にそれぞれ箱体の内側斜め上方に折り曲げられた傾斜片が連設され、これら傾斜片が、箱体の前後方向中央部の上端部で係合され、傾斜片同士の係合により、空間が箱体の前後に形成される切妻屋根型紙容器用付属紙箱がある（特許文献２）。この切妻屋根型紙容器用付属紙箱も、傾斜片が箱体の前後方向中央部の上端部で係合されていて、収納部が小さくなっている。
【０００８】
さらまた、四方の側面板からなる胴部と、胴部の対向する一組の側面板に連接された底面板のそれぞれを、切妻屋根型紙容器の傾斜天面板に重なるようにして胴部内に折り込み、底面板それぞれの自由端に連接した起立片を相互に突き合わせてなる起立片間に切妻屋根型紙容器のトップシール部を挿入可能にし、底面板の内、一方の底面板に切妻屋根型紙容器の注出口栓が挿入可能な装着孔を設け、かつ、装着孔から胴部内に挿入された注出口栓を、覆って設けられた注出口栓が位置する第一空間と、小物を収納可能な第二空間とに仕切る仕切り板を起立片に連接した切妻屋根型紙容器用付属紙箱もある（特許文献３）。
【０００９】
切妻屋根型紙容器用付属紙箱の場合は、小物を収納可能な第二空間を、注出口栓が位置する第一空間と仕切るために仕切り板を設けてあり、収納部を２箇所設けていないので、
第一空間が設けられている分だけ収納部が狭くなっている。
【先行技術文献】
【特許文献】
【００１０】
【特許文献１】特開平７−３１５３６０号公報
【特許文献２】実用新案登録第３０３４１４８号公報
【特許文献３】特開２００２−３３７８５３号公報
【発明の概要】
【発明が解決しようとする課題】
【００１１】
本発明は上記した事情に鑑みてなされたもので、区分された２箇所の収納部を有し、それぞれの収納部を大きくとることのできる切妻屋根型紙容器用付属紙箱を提供することを課題としている。
【課題を解決するための手段】
【００１２】
本発明の請求項１に係る発明は、切妻屋根型紙容器の上部に取り付ける切妻屋根型紙容器用付属紙箱であって、
前記切妻屋根型紙容器の傾斜した前部天面パネルと後部天面パネルのそれぞれに沿う前傾斜板と後傾斜板とを有し、該前傾斜板と後傾斜板のそれぞれの上方に区分された収納部が設けられていることを特徴とする切妻屋根型紙容器用付属紙箱である。
【００１３】
本発明の切妻屋根型紙容器用付属紙箱は、以上のような構成であって、切妻屋根型紙容器の傾斜した前部天面パネルと後部天面パネルのそれぞれに沿う前傾斜板と後傾斜板とを有し、該前傾斜板と後傾斜板のそれぞれの上方に区分された収納部が設けられているので、区分された２箇所の収納部を有し、それぞれの収納部を大きくとることができる。
【００１４】
本発明の請求項２に係る発明は、前記切妻屋根型紙容器の前記前部天面パネルに口栓が装着されていて、前記前傾斜板に前記口栓を通す口栓差込孔が設けられていることを特徴とする請求項１に記載の切妻屋根型紙容器用付属紙箱である。
【００１５】
本発明によれば、妻屋根型紙容器の前部天面パネルに口栓が装着されていても、前傾斜板に口栓を通す口栓差込孔が設けられているので、前部天面パネルと後部天面パネルのそれぞれに沿うように前傾斜板と後傾斜板を設けることができ、２箇所の収納部をそれぞれ大きくとることができる。
【００１６】
本発明の請求項３に係る発明は、前記前傾斜板と前記後傾斜板の下方に、前記切妻屋根型紙容器の胴部上部を覆い被せる筒状部が設けられていることを特徴とする請求項１または２に記載の切妻屋根型紙容器用付属紙箱である。
【００１７】
本発明の切妻屋根型紙容器用付属紙箱は、前傾斜板と後傾斜板の下方に、切妻屋根型紙容器の胴部上部を覆い被せる筒状部が設けられているので、安定して切妻屋根型紙容器に取り付けることができる。
【００１８】
本発明の請求項４に係る発明は、前記切妻屋根型紙容器のトップシール部の特定箇所が視認できるように、窓部が蓋板に設けられていることを特徴とする請求項１から３のいずれか１項に記載の切妻屋根型紙容器用付属紙箱である。
【００１９】
本発明によれば、切妻屋根型紙容器のトップシール部の特定箇所が視認できるように窓部が蓋板に設けられているので、トップシール部をシールするときに印字などで設けられた賞味期限などを表す表示を、切妻屋根型紙容器用付属紙箱を取り付けた状態で見ること
ができる。
【００２０】
本発明の請求項５に係る発明は、正面板の下方に前記前傾斜板が設けられ、上方に天井板と接続傾斜板を介して、前記後傾斜板が設けられたブランクより形成されていることを特徴とする請求項１から４のいずれか１項に記載の切妻屋根型紙容器用付属紙箱である。
【００２１】
本発明の切妻屋根型紙容器用付属紙箱は、正面板の下方に前記前傾斜板が設けられ、上方に天井板と接続傾斜片を介して、前記後傾斜板が設けられたブランクより形成されているので、切妻屋根型紙容器用付属紙箱の形状が安定している。
【発明の効果】
【００２２】
本発明の切妻屋根型紙容器用付属紙箱は、区分された２箇所の収納部を有し、それぞれの収納部を大きくとることができる。
【図面の簡単な説明】
【００２３】
【図１】本発明の切妻屋根型紙容器用付属紙箱の一例の使用状態を模式的に縦断面で示した説明図である。
【図２】本発明の切妻屋根型紙容器用付属紙箱の一例のブランクを模式的に示した説明図である。
【図３】本発明の切妻屋根型紙容器用付属紙箱の一例の説明図である。（Ａ）正面図、（Ｂ）右側面図、（Ｃ）平面図、（Ｄ）底面図。
【図４】切妻屋根型紙容器の一例を斜視で示した説明図である。
【発明を実施するための形態】
【００２４】
以下、本発明を実施するための形態につき説明する。
図１は、本発明の切妻屋根型紙容器用付属紙箱の一例の使用状態を模式的に右側面から見た縦断面で示した説明図である。
【００２５】
本例の切妻屋根型紙容器用付属紙箱１００は、図１のように、切妻屋根型紙容器３００の傾斜した前部天面パネル３１と後部天面パネル３２のそれぞれに沿う前傾斜板１と後傾斜板２とを有し、前傾斜板１と後傾斜板２の上方のそれぞれに区分された第１収納部３と第２収納部４が設けられている。
【００２６】
前傾斜板１には、口栓差込孔５が設けられていて、切妻屋根型紙容器３００の前部天面パネル３１に装着されている口栓３３が、口栓差込孔５を通して、第１収納部３に突き出ている。
【００２７】
切妻屋根型紙容器用付属紙箱１００の正面板６の上端には、天井板７が延設されていて、内方に直角に折られている。更に天井板７の先端には折れ曲がって接続傾斜板８が延設されている。
【００２８】
そして、切妻屋根型紙容器３００のトップシール部３４の下端付近で再度折れ曲がり、後部天面パネル３２に沿った後傾斜板２が形成され、また、後部天面パネル３２の下端付近で上に立ち上がって後立上片９が設けられている。
【００２９】
また、切妻屋根型紙容器用付属紙箱１００の背面板１０の上端には、蓋板１１が設けられていて、上面を覆うようになっている。更に蓋板１１の先端には差込係止片１２が設けられていて、正面板６と天井板７の間の折罫の中間に設けられた蓋係止切込１３に差し込まれて蓋体１１を係止している。
【００３０】
蓋体１１には、蓋体窓１４が設けられ、また、天井板７にも重なり合う位置に天井窓１５が設けられていて、切妻屋根型紙容器３００のトップシール部３４に、印字などで設けられた賞味期限などを表す表示が、切妻屋根型紙容器用付属紙箱１００を装着したまま、目視できるようになっている。
【００３１】
正面板６の下端には、前嵌合板１６が延設され、内側の上方に折り返されている。そして、前嵌合板１６の先端に前傾斜板１が延設され、切妻屋根型紙容器３００の前部天面パネル３１に沿って、斜めに折れ曲がっている。また、前傾斜板１の先端には中央立上片１７が延設されていて、切妻屋根型紙容器３００のトップシール部３４に沿うように曲がって立上っている。
【００３２】
背面板１０の下端にも、後嵌合板１８が延設され、内側の上方に折り返されている。そして、後嵌合板１８の先端に後ろ差込片１９が延設され、後傾斜板２と後立上片９の間の折罫の中間に設けられた後係止切込２０に差し込まれて後傾斜板２を係止している。
【００３３】
図２は、本発明の切妻屋根型紙容器用付属紙箱の一例のブランクを模式的に示した説明図である。
【００３４】
本例の切妻屋根型紙容器用付属紙箱１００を形成するブランク２００は、図２のように、正面板６を挟んで左側面板２１と右側面板２２が左右に連設され、左側面板２１の左側には背面板１０と貼着板２３がされている。
【００３５】
正面板６の上端には天井板７が連設され、正面板６と天井板７の間の折罫の中間部分に蓋係止切込１３が設けられている。また、天井板７には天井窓１５が、切り抜かれて設けられている。
【００３６】
天井板７の上端には接続傾斜板８が連設され、接続傾斜板８の上端には、切妻屋根型紙容器３００の後部天面パネル３２の上側に沿う後傾斜板２が設けられている。後傾斜板２の上端には、後立上片９が設けられている。また、後傾斜板２と後立上片９の間の折罫の中間部分に後係止切込２０が設けられて、後述する後差込片１９を差し込むようになっている。
【００３７】
正面板６の下端には前嵌合板１６が連設され、前嵌合板１６の下端には、切妻屋根型紙容器３００の前部天面パネル３１の上側に沿う前傾斜板１が設けられている。前傾斜板１には、切妻屋根型紙容器３００の前部天面パネル３１に装着されている口栓３３を通す口栓差込孔５が設けられている。
【００３８】
また、前傾斜板１の下端には、切妻屋根型紙容器３００のトップシール部３４に沿って立上る中央立上片１７が設けられている。
【００３９】
背面板１０の上端には蓋板１１が連設され、蓋板１１の上端には、正面板６と天井板７の間の蓋係止切込１３に差し込んで、蓋板１１を係止するための差込係止片１２が設けられている。
【００４０】
蓋板１１には蓋体窓１４が設けられ、切妻屋根型紙容器用付属紙箱１００を切妻屋根型紙容器３００に取り付けた状態で、トップシール部に設けられた賞味期限などを表す表示を、蓋体窓１４から天井窓１５を通して見ることができるようにしている。
【００４１】
背面板１０の下端に後嵌合板１８が連設され、後嵌合板１８の下端は後差込片１９が下方に突き出て設けられている。この後差込片１９を後係止切込２０に差し込むことで、製
函後の後立上片９、後傾斜板２、接続傾斜板８、天井板７の位置を固定させ、切妻屋根型紙容器用付属紙箱１００を堅固に安定させる。
【００４２】
左側面板２１、右側面板２２の上端には、それぞれに、内フラップ２４、２４と外フラップ２５、２５が連設されている。
【００４３】
また、左側面板２１、右側面板２２の下端には、それぞれに、折込板２６、２６が連設されている。各々の折込板２６には、斜めの折罫と外側に凸の係止片切込２７を介して傾斜板係止片２８、２８が設けられている。
【００４４】
図３は、本発明の切妻屋根型紙容器用付属紙箱の一例の説明図である。（Ａ）正面図、（Ｂ）右側面図、（Ｃ）平面図、（Ｄ）底面図である。
【００４５】
上記のブランク２００を用いて本例の切妻屋根型紙容器用付属紙箱１００が製函される。
【００４６】
貼着板２３のおもて面を右側面板２２の裏面に貼着して、正面板６、左側面板２１、背面板１０、右側面板２２からなる角筒状の側壁を形成する。次に、内フラップ２４、２４を内側に倒して、その上に重なるように天井板７を倒し、図１の断面図のように、後傾斜板２の上端が後部天面パネル３２の上端近傍に位置するように、接続傾斜板８及び後傾斜板２を折り込む。
【００４７】
また、後傾斜板２は後部天面パネル３２に沿って配置し、後傾斜板２の下端、すなわち、後傾斜板２と後立上片９との間の折罫が背面板１０の内面に位置するように構成する。そして、その折罫で折り曲げて、後立上片９を背面板１０の内面に沿って上方に向くように折り込む。尚、内フラップ２４は、必要に応じて切り欠きや孔を設けて、蓋体窓１４や天井窓１５に重なってふさぐことのないようにしておく。
【００４８】
そして、図1のように、前嵌合板１６を正面板６の裏面に沿って折返し、前傾斜板１を斜めにして、中央立上片１７を垂直になるように立ち上げる。また、後嵌合板１８を背面板１０の裏面に沿って折返し、後差込片１９を後係止切込２０に差し込む。
【００４９】
次に、傾斜板係止片２８、２８、２８、２８を外側に折って、折込板２６、２６を左側面板２１や右側面板２２の裏面に沿って折返す。そして、係止片切込２７、２７、２７、２７で囲まれた折込板２６、２６の部分は、前傾斜板１や後傾斜板２の両端と左側面板２１や右側面板２２の間に差し込む。図３の（Ｄ）底面図のように、前傾斜板１や後傾斜板２が傾斜板係止片２８、２８、２８、２８で係止される。
【００５０】
このように製函することによって、前傾斜板１や後傾斜板２の下方に筒状部が形成される。この筒状部に切妻屋根型紙容器３００の胴部上部を覆い被せるように嵌め込むと、切妻屋根型紙容器３００に切妻屋根型紙容器用付属紙箱１００が、安定して取り付けることができる。
【００５１】
また、筒状部は内側が、正面板６、左側面板２１、背面板１０、右側面板２２の下端を折り返して設けられた、折込板２６、２６および前嵌合板１６、後嵌合板１８でかこまれているので、折り返した反発力が内方に向かい、切妻屋根型紙容器３００の胴部上部を押さえるようになり、しっかりと固定される。
【００５２】
次に、外側フラップ２５を内側に倒し、蓋体１１を倒して、差込係止片１２を蓋係止切込１３に差し込むことによって、図３のように、切妻屋根型紙容器用付属紙箱１００が製
函される。
【００５３】
そして、図1のように、第１収納部３と第２収納部４が形成される。この第１収納部３は正面板６、前傾斜板１、中央立上片１７、天井板７、および、左側面板２１、右側面板２２で囲まれていて、そして、第２収納部４は、接続傾斜板８、後傾斜板２、後立上片９、蓋板１１、および、左側面板２１、右側面板２２で囲まれていて、第１収納部３と第２収納部４は、それぞれに区分されている。
【００５４】
この切妻屋根型紙容器用付属紙箱１００は、蓋体窓１４と天井窓１５が設けられ、また、接続傾斜板８が斜めになっているので、蓋体窓１４、天井窓１５を通して外側から、切妻屋根型紙容器３００のトップシール部３４に設けられた、印字された賞味期限などの表示を読むことができる。
【００５５】
また、切妻屋根型紙容器３００に口栓３３が設けられている場合であっても、切妻屋根型紙容器用付属紙箱１００を取り付けるときに、口栓差込孔５に口栓３３を通すことができるので、前傾斜板を前部天面パネルに沿うようにすることができ、第１収納部３を広く取ることができる。
【００５６】
以上のように、本発明の切妻屋根型紙容器用付属紙箱１００は、区分された第１収納部３と第２収納部４の２箇所の収納部を有し、それぞれの収納部を大きくとることができる。
【符号の説明】
【００５７】
１００・・・切妻屋根型紙容器用付属紙箱
２００・・・ブランク
３００・・・切妻屋根型紙容器
１・・・前傾斜板
２・・・後傾斜板
３・・・第１収納部
４・・・第２収納部
５・・・口栓差込孔
６・・・正面板
７・・・天井板
８・・・接続傾斜板
９・・・後立上片
１０・・・背面板
１１・・・蓋板
１２・・・差込係止片
１３・・・蓋係止切込
１４・・・蓋体窓
１５・・・天井窓
１６・・・前嵌合板
１７・・・中央立上片
１８・・・後嵌合板
１９・・・後差込片
２０・・・後係止切込
２１・・・左側面板
２２・・・右側面板
２３・・・貼着板
２４、２４・・・内フラップ
２５、２５・・・外フラップ
２６、２６・・・折込板
２７、２７、２７、２７・・・係止片切込
２８、２８、２８、２８・・・傾斜板係止片
３１・・・前部天面パネル
３２・・・後部天面パネル
３３・・・口栓
３４・・・トップシール部
３５・・・前面パネル
３６、３６・・・側面パネル
３７・・・底部
３８・・・折込三角板
３９・・・折返板
【図１】
2014080228.tif 000003
【図２】
2014080228.tif 000004
【図３】
2014080228.tif 000005
【図４】
2014080228.tif 000006